(57)【要約】【課題】点灯時間に関する表示の視認性を向上させることができるプロジェクタおよびその制御方法を得る。【解決手段】ランプ１１と、ランプ１１を点灯又は消灯させるバラスト４０と、表示画像用の画像信号を生成する画像信号処理部３２と、ランプ１１から射出された光束を変調する光変調部と、変調された光束を拡大投写する投写光学系１３と、記憶部４４と、操作内容に応じた操作信号を入力するための操作信号入力部４３と、ランプ１１の点灯時間の累積値を計測し、該点灯時間の累積値情報を記憶部４４に記憶させる制御部２０とを備え、制御部２０は、操作信号入力部４３から所定の操作信号を受け取ったとき、記憶部４４に記憶された点灯時間の累積値情報を取得し、取得した該点灯時間の累積値情報に応じた識別表示画面の画像信号を、画像信号処理部３２に生成させる。【選択図】図１
2009186864.tif 000002
【特許請求の範囲】
【請求項１】
光源と、
前記光源を点灯又は消灯させる光源駆動部と、
入力画像信号に基づいて表示画像用の画像信号を生成する画像信号処理部と、
前記画像信号処理部により生成された画像信号に基づき、前記光源から射出された光束を変調する光変調部と、
前記光変調部により変調された光束を拡大投写する投写光学系と、
第１の記憶部と、
操作内容に応じた操作信号を入力するための操作信号入力部と、
前記光源の点灯時間の累積値を計測し、該点灯時間の累積値情報を前記第１の記憶部に記憶させる制御部と
を備え、
前記制御部は、
前記操作信号入力部から所定の操作信号を受け取ったとき、前記第１の記憶部に記憶された前記点灯時間の累積値情報を取得し、
取得した該点灯時間の累積値情報に応じた識別表示画面の画像信号を、前記画像信号処理部に生成させることを特徴とするプロジェクタ。
【請求項２】
複数の識別表示画面の画像情報が記憶される第２の記憶部を備え、
前記制御部は、
前記第１の記憶部に記憶された前記点灯時間の累積値情報に応じて、前記第２の記憶部に記憶された前記識別表示画面の１つを選択し、選択した該識別表示画面の画像信号を、前記画像信号処理部に生成させることを特徴とする請求項１記載のプロジェクタ。
【請求項３】
前記制御部は、
前記操作信号入力部から電源オン及び電源オフの少なくとも一方の操作信号を受け取ったとき、
前記第１の記憶部に記憶された前記点灯時間の累積値情報に応じて、前記第２の記憶部に記憶された前記識別表示画面の１つを選択し、選択した該識別表示画面の画像信号を、前記画像信号処理部に生成させることを特徴とする請求項１又は２記載のプロジェクタ。
【請求項４】
前記制御部は、
前記操作信号入力部から電源オン及び電源オフの少なくとも一方の操作信号を受け取った後、所定の時間経過するまでの間、前記識別表示画面の画像信号を、前記画像信号処理部に生成させることを特徴とする請求項３記載のプロジェクタ。
【請求項５】
光源からの光を変調して画像を投写するプロジェクタの制御方法であって、
前記光源の点灯時間の累積値を計測し、該点灯時間の累積値情報を記憶するステップと、
所定の操作信号を取得するステップと、
前記所定の操作信号が取得されたとき、記憶された前記点灯時間の累積値情報を取得するステップと、
取得された該点灯時間の累積値情報に応じた識別表示画面の画像を投写するステップと
を有することを特徴とするプロジェクタの制御方法。
【発明の詳細な説明】
【技術分野】
【０００１】
本発明は、光源の点灯時間を計測するプロジェクタおよびその制御方法に関する。
【背景技術】
【０００２】
従来の技術としては、例えば特許文献１に「…ランプの使用時間を計時する工程と、前記ランプの使用時間を保持および／または格納する工程と、前記ランプの使用時間を表示する工程と、前記ランプの使用時間を初期化する工程とを有し、前記ランプの消灯時若しくは点灯時の少なくともどちらか一方に前記ランプの使用時間を前記投写型表示装置の画面に表示する工程を有することを特徴とするランプ使用時間表示方法。」が提案されている（例えば、請求項１を参照）。
【０００３】
【特許文献１】特開２００１−３５６４１６号公報
【発明の開示】
【発明が解決しようとする課題】
【０００４】
従来、プロジェクタの光源（以下「ランプ」ともいう。）の交換寿命をユーザーに知らせるため、ランプの点灯時間をプロジェクタの内部メモリに保持し、点灯時間が所定値に達した場合に所定のメッセージなどを表示させて、ユーザーにランプの交換を促している。この内部メモリに保持された点灯時間の情報は、ランプ交換時にメモリをリセットすることにより点灯時間をクリアし、使用するランプ毎に点灯時間を計測する方法が使われている。
【０００５】
しかしながら、例えばランプが寿命前に切れてしまったときや、プロジェクタの故障などにより、ランプの点灯ができない場合、ユーザーは、当該ランプ点灯時間がおおよそどのくらいであったかを知ることができない、という問題点があった。
【０００６】
また、上記特許文献１には、電源オンまたはオフ時に、ランプの点灯時間を一定時間表示するものが提案されている。しかしながら、毎回の電源オンまたはオフで、点灯時間の表示数値がそれほど大きく変化するわけではないので、ユーザーが見慣れてしまい、表示された時間を注視せずに見落とすことがある、という問題点があった。
【０００７】
本発明はこのような課題を解決するためになされたものであり、点灯時間に関する表示の視認性を向上させることができるプロジェクタおよびその制御方法を得ることを目的とする。
【課題を解決するための手段】
【０００８】
本発明に係るプロジェクタは、光源と、前記光源を点灯又は消灯させる光源駆動部と、入力画像信号に基づいて表示画像用の画像信号を生成する画像信号処理部と、前記画像信号処理部により生成された画像信号に基づき、前記光源から射出された光束を変調する光変調部と、前記光変調部により変調された光束を拡大投写する投写光学系と、第１の記憶部と、操作内容に応じた操作信号を入力するための操作信号入力部と、前記光源の点灯時間の累積値を計測し、該点灯時間の累積値情報を前記第１の記憶部に記憶させる制御部とを備え、前記制御部は、前記操作信号入力部から所定の操作信号を受け取ったとき、前記第１の記憶部に記憶された前記点灯時間の累積値情報を取得し、取得した該点灯時間の累積値情報に応じた識別表示画面の画像信号を、前記画像信号処理部に生成させるものである。
本発明においては、所定の操作信号を受け取ったとき、点灯時間の累積値情報に応じた識別表示画面を表示するので、点灯時間に関する表示の視認性を向上させることができる。
【０００９】
本発明に係るプロジェクタは、複数の識別表示画面の画像情報が記憶される第２の記憶部を備え、前記制御部は、前記第１の記憶部に記憶された前記点灯時間の累積値情報に応じて、前記第２の記憶部に記憶された前記識別表示画面の１つを選択し、選択した該識別表示画面の画像信号を、前記画像信号処理部に生成させるものである。
本発明においては、点灯時間の累積値情報に応じて選択した識別表示画面を表示するので、点灯時間に関する表示の視認性を向上させることができる。また、例えばランプが寿命前に切れてしまったときや、プロジェクタの故障などにより、ランプの点灯ができない場合であっても、ユーザーは、最後に表示された識別表示画面でどの程度の点灯時間であったかの目安を知ることができる。
【００１０】
本発明に係るプロジェクタにおいては、前記制御部は、前記操作信号入力部から電源オン及び電源オフの少なくとも一方の操作信号を受け取ったとき、前記第１の記憶部に記憶された前記点灯時間の累積値情報に応じて、前記第２の記憶部に記憶された前記識別表示画面の１つを選択し、選択した該識別表示画面の画像信号を、前記画像信号処理部に生成させるものである。
本発明においては、電源オン及び電源オフの少なくとも一方の操作信号を受け取ったとき、点灯時間の累積値情報に応じた識別表示画面を表示するので、電源オン及び電源オフの少なくとも一方の際に識別表示画面を表示することができ、ユーザーは特段の注視をすることなく、どの程度の点灯時間であったかの目安を知ることができる。
【００１１】
本発明に係るプロジェクタにおいては、前記制御部は、前記操作信号入力部から電源オン及び電源オフの少なくとも一方の操作信号を受け取った後、所定の時間経過するまでの間、前記識別表示画面の画像信号を、前記画像信号処理部に生成させるものである。
本発明においては、電源オン及び電源オフの少なくとも一方の操作信号を受け取った後、所定の時間経過するまでの間、点灯時間の累積値情報に応じた識別表示画面を表示するので、電源オン及び電源オフの少なくとも一方の後、所定の時間経過するまでの間、識別表示画面を表示することができ、ユーザーは特段の注視をすることなく、どの程度の点灯時間であったかの目安を知ることができる。
【００１２】
本発明に係るプロジェクタの制御方法は、光源からの光を変調して画像を投写するプロジェクタの制御方法であって、前記光源の点灯時間の累積値を計測し、該点灯時間の累積値情報を記憶するステップと、所定の操作信号を取得するステップと、前記所定の操作信号が取得されたとき、記憶された前記点灯時間の累積値情報を取得するステップと、取得された該点灯時間の累積値情報に応じた識別表示画面の画像を投写するステップとを有するものである。
本発明においては、所定の操作信号を取得したとき、点灯時間の累積値情報に応じた識別表示画面を投写するので、点灯時間に関する表示の視認性を向上させることができる。
【発明を実施するための最良の形態】
【００１３】
実施の形態１．
図１は実施の形態１に係るプロジェクタの構成を示すブロック図である。図に示すように、プロジェクタ１は、光源であるランプ１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、光源駆動部であるバラスト４０と、操作パネル４１と、リモコン受光部４２と、操作信号入力部４３と、記憶部４４と、時計部５０と、電源部６０とを備えている。このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。
尚、本実施の形態では、光源としてランプ１１を用いる場合を説明するが、本発明はこれに限らず、発光ダイオードやレーザダイオードなど任意の光源を用いても良い。
【００１４】
制御部２０は、画像入力部３１、画像信号処理部３２、バラスト４０、操作信号入力部４３、記憶部４４、時計部５０、及び電源部６０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、ランプ１１の点灯時間の累積値の計測、及び電源オン／オフ時における画面表示動作を行う。
【００１５】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００１６】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００１７】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像や、電源オン時画面および電源オフ時画面（後述）などのＯＳＤ画像信号をフレーム画像信号と合成する処理を行う。具体的には、制御部２０が例えば記憶部４４から各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００１８】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、ランプ１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００１９】
バラスト４０は、制御部２０からの指示に従って、ランプ１１を点灯又は消灯させる光源駆動部であり、例えばランプ１１が高圧放電灯の場合には、始動電圧を印加する点灯回路や、適正なランプ電流を供給する安定器などにより構成される。
【００２０】
操作パネル４１は、プロジェクタ１の本体に設けられており、電源オン／オフキー、入力画像切り換え操作を行う入力切換キー、画質調整等の操作を行うメニュー画像を表示させるメニューキー、メニュー画像での項目選択操作を行う選択キー、及びプロジェクタ１の状態変更等を行うための各種スイッチ類を有し、ユーザーによるキー操作に応じた操作信号を操作信号入力部４３に入力する。
【００２１】
リモートコントローラ（以下「リモコンＲＣ」という。）は、プロジェクタ１の外部に設けられ、上記操作パネル４１と同様な各種スイッチ類や０〜９までの数字キーなどを有し、ユーザーによるキー操作に応じた操作信号を送信する。そして、リモコンＲＣからの操作信号は、リモコン受光部４２を介して操作信号入力部４３に入力される。
【００２２】
操作信号入力部４３は、操作パネル４１又はリモコン受光部４２からの操作信号を受信し、操作内容に応じた操作信号を制御部２０へ入力する。
【００２３】
記憶部４４は、制御部２０が実行する制御プログラム、画質調整等を行う際のメニュー画像などのＯＳＤ画像を生成するためのＯＳＤ情報を記憶するとともに、プロジェクタ１の各種設定値等を記憶する。
また、この記憶部４４には、後述する画面表示色テーブル、および電源オン／オフ時の識別表示画面を生成するためのＯＳＤ情報（画面情報）が予め記憶されている。また、後述する動作により、点灯時間の累積値情報が記録される。
尚、記憶部４４は、本発明における第１の記憶部及び第２の記憶部に相当する。
【００２４】
尚、本実施の形態では、記憶部４４に点灯時間の累積値情報および識別表示画面の情報が記憶される場合を説明するが、複数の記憶部を設けてそれぞれ別々に記憶するようにしても良い。
【００２５】
時計部５０は、例えばＲＴＣ（Ｒｅａｌ  Ｔｉｍｅ  Ｃｌｏｃｋ）により構成され、現在時刻情報を生成する。
【００２６】
電源部６０は、外部の商業電源に接続されてプロジェクタ１内の各構成部の電力供給源となるものであり、操作パネル４１又はリモコンＲＣからの電源オン／オフ操作に応じて動作する。
【００２７】
上記のような構成により本実施の形態のプロジェクタ１は、ランプ１１の点灯時間の累積値を計測し、電源オン時及び電源オフ時に、点灯時間の累積値に応じた識別表示画面を表示する。このような動作の詳細について図２〜図６を用いて次に説明する。
【００２８】
図２は実施の形態１に係る点灯時間計測の動作フローチャートである。
まず、ランプ１１の点灯時間の累積値を計測する動作について図２に基づき説明する。
制御部２０は、プロジェクタ１の電源が投入されると点灯時間計測動作を開始し（Ｓ１０１）、ランプ点灯操作がされるまで待機する（Ｓ１０２）。ユーザーにより操作パネル４１又はリモコンＲＣの操作キーから、電源オンキーなどの投写を開始する旨のキーが押下されると、操作信号入力部４３は、当該操作の操作信号を受信し、この操作信号を制御部２０へ入力する。制御部２０は、入力された操作信号によりランプ点灯操作を検出し（Ｓ１０２）、バラスト４０に対してランプ１１の点灯を指示すると共に、時計部５０を参照して現在の時刻を点灯時刻として取得する（Ｓ１０３）。
【００２９】
バラスト４０は、制御部２０からの指示によりランプ１１を点灯させる。このような状態において、例えば外部接続機器２から画像入力部３１に１又は複数の入力画像信号が入力され、ユーザーから入力切換キーが操作されると、制御部２０は画像入力部３１に入力画像切り換え操作を行わせ、外部接続機器２から入力される複数の入力画像信号のうち、操作に応じた入力画像信号を選択させる。そして、制御部２０は画像信号処理部３２に対し、選択された入力画像信号を変換して投写画像用の画像信号の生成を指示する。画像信号処理部３２は、生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、ランプ１１の光を変調して画像光を射出する。この画像光は、投写光学系１３を介してスクリーンＳＣに投射される。
【００３０】
次に、ユーザーにより操作パネル４１又はリモコンＲＣの操作キーから、電源オフキーなどの投写を終了する旨のキーが押下されると、操作信号入力部４３は、当該操作の操作信号を受信し、この操作信号を制御部２０へ入力する。制御部２０は、入力された操作信号によりランプ点灯操作を検出し（Ｓ１０４）、バラスト４０に対してランプ１１の消灯を指示すると共に、時計部５０を参照して現在の時刻を消灯時刻として取得する（Ｓ１０５）。
【００３１】
次に、制御部２０は、消灯時刻と点灯時刻との差分からランプ１１の点灯時間を算出する（Ｓ１０６）。そして、記憶部４４に記憶された当該ランプ１１の点灯時間の累積値に、算出した点灯時間を加算して当該累積値の情報を更新する（Ｓ１０７）。
【００３２】
このような動作により、ランプ１１が点灯及び消灯する度に、記憶部４４に記憶された当該点灯時間の累積値が更新されることとなる。尚、点灯時間の計測動作はこれに限らず、ランプ１１が点灯している時間を計測できれば良く、例えば、ランプ点灯制御と共に時間計測を開始し、ランプ消灯制御と共に時間計測を終了して、計測した時間を記憶された点灯時間の累積値に加算して更新しても良い。
【００３３】
尚、点灯時間の累積値情報は、例えば、操作パネル４１からの点灯時間リセット操作により、当該累積値情報のリセットが可能である。例えばランプ１１を新品に交換した場合には、ユーザーの操作により点灯時間の累積値情報をリセットする。尚、点灯時間の累積値情報のリセットはこれに限らず、例えばスイッチなどによりランプ１１の装着状態を検出する交換検出手段を設け、ランプ１１が交換されたとき交換検出信号を制御部２０に入力して、上記点灯時間リセットの動作を行っても良い。これにより、ユーザーはランプ１１を交換する度に点灯時間リセット操作をする必要が無く、利便性を向上させることができる。
【００３４】
図３は実施の形態１に係る電源オフ時の画面表示動作を示すフローチャート、図４は実施の形態１に係る電源オン時の画面表示動作を示すフローチャート、図５は実施の形態１に係る画面表示色テーブルの構成を示す図、図６は実施の形態１に係る電源オフ時の画面表示を示す図である。
以下、電源オン時及び電源オフ時における画面表示動作について、図３及び図４に基づき、図５及び図６を参照しながら説明する。
【００３５】
まず、電源オフ時の画面表示動作について図３に基づき説明する。
ユーザーにより操作パネル４１又はリモコンＲＣの操作キーから、電源オフキーが押下されると、操作信号入力部４３は当該操作の操作信号を受信し、この操作信号を制御部２０へ入力する。制御部２０は、入力された操作信号により電源オフ操作を検出する（Ｓ２０１）。
【００３６】
次に、制御部２０は記憶部４４に記憶された点灯時間の累積値情報を取得する（Ｓ２０２）。そして、記憶部４４に記憶された画面表示色テーブルを参照し、取得した点灯時間の累積値に対応する識別表示画面を選択する（Ｓ２０３）。この画面表示色テーブルは、点灯時間の累積値に応じて、識別表示画面の表示色に関する情報が記録されたものであり、例えば図５に示すように、所定範囲の点灯時間の累積値毎に、識別表示画面の表示色が定義されるものである。ここで、例えばステップＳ２０２で取得した点灯時間の累積値が「３０時間」の場合、制御部２０は識別表示画面として「黄色画面」を選択することになる。
【００３７】
次に、制御部２０は、記憶部４４に記憶された電源オフ時の識別表示画面のうち、ステップＳ２０３で選択した識別表示画面のＯＳＤ情報を、画像信号処理部３２に取得させて当該画面を表示するＯＳＤ画像信号を生成させる。そして、この画像信号に基づく画像光が投写光学系１３を介して射出され、例えば図６に示すような電源オフ時画面１００が投写される（Ｓ２０４）。つまり、上記ステップＳ２０３で「黄色画面」を選択した場合は、図６（ａ）に示すような背景色が黄色の電源オフ時画面１００が投写されることとなる。また、同様に点灯時間の累積値が、例えば５０〜１００時間の場合は「水色画面」を選択して図６（ｂ）に示すような電源オフ時画面１００が投写され、また例えば１００〜１５０時間の場合は「緑色画面」を選択して図６（ｃ）に示すような電源オフ時画面１００が投写されることとなる。
【００３８】
次に、制御部２０は電源オフ時画面１００の投写後、所定時間経過したか否かを判断する（Ｓ２０５）。所定時間経過するまでの間、電源オフ時画面１００の投写を継続し、所定時間経過したと判断したとき、制御部２０はバラスト４０に対してランプ１１の消灯を指示すると共に、所定のクールダウン処理を行って、プロジェクタ１をスタンバイ状態に移行する（Ｓ２０６，Ｓ２０７）。
【００３９】
次に、電源オン時の点灯時間通知動作について図４に基づき説明する。
ユーザーにより操作パネル４１又はリモコンＲＣの操作キーから、電源オンキーが押下されると、操作信号入力部４３は当該操作の操作信号を受信し、この操作信号を制御部２０へ入力する。制御部２０は、入力された操作信号により電源オン操作を検出する（Ｓ３０１）。
【００４０】
次に、制御部２０は記憶部４４に記憶された点灯時間の累積値情報を取得する（Ｓ３０２）。そして、記憶部４４に記憶された画面表示色テーブルを参照し、取得した点灯時間の累積値に対応する識別表示画面を選択する（Ｓ３０３）。
次に、制御部２０は、バラスト４０に対してランプ１１の点灯を指示すると共に、記憶部４４に記憶された電源オン時の識別表示画面のうち、ステップＳ３０３で選択した識別表示画面のＯＳＤ情報を、画像信号処理部３２に取得させて、当該画面を表示するＯＳＤ画像信号を生成させる。そしてこの画像信号に基づく画像光が投写光学系１３を介して射出され、電源オン時画面（図示せず）が投写される（Ｓ３０４）。尚、電源オン時画面は、例えば当該プロジェクタ１が起動中である旨の表示や、社名ロゴなど、任意の画面を用いることができる。
【００４１】
次に、制御部２０は電源オン時画面の投写後、所定時間経過したか否かを判断する（Ｓ３０５）。所定時間経過するまでの間、電源オン時画面の投写を継続し、所定時間経過したと判断したとき、外部接続機器２から入力された入力画像信号に基づく画像を投写させて、プロジェクタ１を通常の動作状態に移行する（Ｓ３０６）。
【００４２】
以上のように本実施の形態１においては、ランプ１１の点灯時間の累積値を計測し、電源オンおよび電源オフの操作がされたとき、点灯時間の累積値情報に応じた識別表示画面を表示するので、点灯時間に関する表示の視認性を向上させることができる。
【００４３】
また、例えばランプが寿命前に切れてしまったときや、プロジェクタの故障などにより、ランプの点灯ができない場合であっても、ユーザーは、最後に表示された識別表示画面の表示色により、どの程度の点灯時間であったかの目安を知ることができる。
【００４４】
また、電源オン及び電源オフの操作信号を受け取ったとき、点灯時間の累積値情報に応じた識別表示画面を表示するので、プロジェクタ１を使用する度に、識別表示画面の表示色を認識することになり、ユーザーは特段の注視をすることなく、どの程度の点灯時間であったかの目安を知ることができる。
【００４５】
また、電源オン時画面及び電源オフ時画面は、所定の時間経過するまでの間、点灯時間の累積値情報に応じた表示色の識別表示画面を表示するので、プロジェクタ１を使用する度に、所定時間の間、識別表示画面の表示色を認識することになり、ユーザーは特段の注視をすることなく、どの程度の点灯時間であったかの目安を知ることができる。
【００４６】
尚、本実施の形態１では、電源オン時又は電源オフ時に識別表示画面を表示させたが、本発明はこれに限らず、所定のタイミングで識別表示画面を表示するようにしても良い。例えば、ユーザーからの任意の操作によりメニュー画面を表示する際に、メニュー画面の背景色を上記表示色とするようにしても良い。
【００４７】
尚、本実施の形態１では、識別表示画面の表示色を点灯時間の累積値に応じて変化させる場合を説明したが、本発明はこれに限らず、点灯時間の累積値に応じて識別表示画面を変化させれば良く、例えば、色だけでなくパターン縦ライン、横ラインなどの組み合わせでもよい。
【００４８】
尚、本実施の形態１では、電源オフ時および電源オン時の場合に、識別表示画面を表示する場合を説明したが、本発明はこれに限らず、電源オフ時または電源オン時の何れか一方のみでも良い。
【００４９】
尚、上記実施の形態１では、液晶ライトバルブ１２を用いて、ランプ１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【図面の簡単な説明】
【００５０】
【図１】実施の形態１に係るプロジェクタの構成を示すブロック図である。
【図２】実施の形態１に係る点灯時間計測の動作フローチャートである。
【図３】実施の形態１に係る電源オフ時の画面表示動作を示すフローチャートである。
【図４】実施の形態１に係る電源オン時の画面表示動作を示すフローチャートである。
【図５】実施の形態１に係る画面表示色テーブルの構成を示す図である。
【図６】実施の形態１に係る電源オフ時の画面表示を示す図である。
【符号の説明】
【００５１】
１  プロジェクタ、２  外部接続機器、１１  ランプ、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４０  バラスト、４１  操作パネル、４２  リモコン受光部、４３  操作信号入力部、４４  記憶部、５０  時計部、６０  電源部、１００  電源オフ時画面、ＲＣ  リモコン、ＳＣ  スクリーン。
【図１】
2009186864.tif 000003
【図２】
2009186864.tif 000004
【図３】
2009186864.tif 000005
【図４】
2009186864.tif 000006
【図５】
2009186864.tif 000007
【図６】
2009186864.tif 000008